(57)【特許請求の範囲】
【請求項１】
前端縁、後端縁、左端縁、及び右端縁によって矩形状又は正方形状の周端縁を形成するとともに、前記前端縁の中央に集水点を有する水切り面と、
前記水切り面からの水を排出する排水面と、
前記水切り面の周端縁における前記排水面に対応する部分を除いた部分に立設された周壁部と、を備え、
前記水切り面は、
前記集水点を終点とし前記後端縁の中央を起点とする稜線、前記集水点を終点とし前記後端縁の左端を起点とする対角線状の左の谷線、及び前記集水点を終点とし前記後端縁の右端を起点とする対角線状の右の谷線を有し、前記稜線、及び前記左右の谷線によって、三角形状の傾斜面に分割されるとともに、
前記左右の谷線の起点が、前記集水点よりも高い位置に設定され、また、前記稜線の起点が、前記左右の谷線の起点よりも高い位置に設定されている、
ことを特徴とする水切りトレイ。
【請求項２】
前記水切り面は、
前記前端縁の左右の端部が、前記左右の谷線の起点よりも高い位置に設定されている、
ことを特徴とする請求項１に記載の水切りトレイ。
【請求項３】
前記水切り面は、
前記前端縁の左右の端部が、前記稜線の起点と同高さに設定されている、
ことを特徴とする請求項２に記載の水切りトレイ。
【請求項４】
前記水切り面は、
前記後端縁の勾配をα、前記左端縁及び右端縁の勾配をβ、前記左右の谷線の勾配をγとしたときに、γが、αとβのうちの大きい方よりも小さく、かつ小さい方よりも大きくなるように形成されている、
ことを特徴とする請求項３に記載の水切りトレイ。
【請求項５】
前記水切り面は、
上面視における前記前端縁及び前記後端縁の長さをＬ１、前記左端縁及び前記右端縁の長さをＬ２としたときに、これらＬ１、Ｌ２の間に、
Ｌ１＞Ｌ２＞Ｌ１／２
が成り立ち、かつ、
α＞γ＞β
が成り立つように形成されている、
ことを特徴とする請求項４に記載の水切りトレイ。
【発明の詳細な説明】
【技術分野】
【０００１】
本発明は、洗浄後に水切りかご等にセットされた食器類から落下する水を受け止め、集水して排出する水切りトレイに関する。
【背景技術】
【０００２】
平面が矩形のトレイ本体を有する水切りトレイが、特許文献１に開示されている。
【０００３】
この水切りトレイは、表面の水切り面が３つの傾斜面によって構成されている。３つの傾斜面は、後端縁が水平に配置されて前端側が下方に傾斜した中央の傾斜面、左端縁が水平に配置されて中央部が下方に傾斜した左の傾斜面、及び右端縁が水平に配置されて中央部が下方に傾斜した右の傾斜面である。
【０００４】
この水切りトレイは、水切りかご等の下方に配置される。使用後の食器類は洗浄された後、水切りかご等にセットされる。食器類から落ちた水は、水切りトレイで受け止められ、集水されて、排水部から排出される。
【０００５】
この際、中央の傾斜面に落ちた水は、傾斜面に沿って前方に向かって流れる。一方、左右の傾斜面に落ちた水は、傾斜面に沿って中央に向かって流れる。また、一部の水は谷線部に集められて、排水部に向かう。そして、最終的に排水部に集められ水は、ここから排出される。
【０００６】
この水切りトレイは、表面の水切り面が、３つの三角形状の傾斜面を組み合わせた単純な構成のため、比較的凹凸の少ない構成であるため、水切り面に残った水を布等で簡単に払拭することができ、メンテナンスが容易である。
【先行技術文献】
【特許文献】
【０００７】
【特許文献１】特許第５３１６１５０号公報
【発明の概要】
【発明が解決しようとする課題】
【０００８】
ところで、水切り面上の水滴は、小さいままで流すよりも、いくつか集めて大きな水滴にした方がよく流れる。
【０００９】
しかしながら、特許文献１の水切りトレイでは、傾斜面は、積極的に谷線部に水滴を集めるようには構成されていないため、水切りが速やかに行われにくいという問題があった。
【００１０】
本発明は、上述した事情に鑑みてなされたものであり、残った水の払拭が容易な単純な形状でありながら、水切りを速やかに行うことができる水切りトレイを提供することを目的とする。
【課題を解決するための手段】
【００１１】
請求項１に係る発明は、水切りトレイにおいて、前端縁、後端縁、左端縁、及び右端縁によって矩形状又は正方形状の周端縁を形成するとともに、前記前端縁の中央に集水点を有する水切り面と、前記水切り面からの水を排出する排水面と、前記水切り面の周端縁における前記排水面に対応する部分を除いた部分に立設された周壁部と、を備え、前記水切り面は、前記集水点を終点とし前記後端縁の中央を起点とする稜線、前記集水点を終点とし前記後端縁の左端を起点とする対角線状の左の谷線、及び前記集水点を終点とし前記後端縁の右端を起点とする対角線状の右の谷線を有し、前記稜線、及び前記左右の谷線によって、三角形状の傾斜面に分割されるとともに、前記左右の谷線の起点が、前記集水点よりも高い位置に設定され、また、前記稜線の起点が、前記左右の谷線の起点よりも高い位置に設定されている、ことを特徴とする。
【００１２】
請求項２に係る発明は、請求項１に係る水切りトレイにおいて、前記水切り面は、前記前端縁の左右の端部が、前記左右の谷線の起点よりも高い位置に設定されている、
ことを特徴とする。
【００１３】
請求項３に係る発明は、請求項２に係る水切りトレイにおいて、前記水切り面は、前記前端縁の左右の端部が、前記稜線の起点と同高さに設定されている、ことを特徴とする。
【００１４】
請求項４に係る発明は、請求項３に係る水切りトレイにおいて、前記水切り面は、前記後端縁の勾配をα、前記左端縁及び右端縁の勾配をβ、前記左右の谷線の勾配をγとしたときに、γが、αとβのうちの大きい方よりも小さく、かつ小さい方よりも大きくなるように形成されている、ことを特徴とする。
【００１５】
請求項５に係る発明は、請求項４に係る水切りトレイにおいて、前記水切り面は、上面視における前記前端縁及び前記後端縁の長さをＬ１、前記左端縁及び前記右端縁の長さをＬ２としたときに、これらＬ１、Ｌ２の間に、
Ｌ１＞Ｌ２＞Ｌ１／２
が成り立ち、かつ、
α＞γ＞β
が成り立つように形成されている、ことを特徴とする。
【発明の効果】
【００１６】
請求項１の発明によれば、左の谷線と右の谷線との間に稜線を設けることにより、傾斜面の勾配のうち、谷線に向かう勾配を大きくすることができるので、傾斜面上の水滴を速やかに左右の谷線に集めることができる。
【００１７】
請求項２の発明によれば、左の谷線と左端縁と前端縁とによって構成される傾斜面、及び右の谷線と右端縁と前端縁とによって構成される傾斜面の勾配のうち、左右の谷線に向かう勾配を大きくすることができるので、これらの傾斜面上の水滴を速やかに左右の谷線に集めることができる。
【００１８】
請求項３の発明によれば、前端縁の左右の端部を、稜線の起点と同高さに設定することにより、水切りトレイ全体の厚さを抑制しつつ、傾斜面の勾配を大きくして、傾斜面の高低さを大きくとることができる。
【００１９】
請求項４の発明によれば、α、β、γの間には、γが増加するとα及びβが減少し、逆にγが減少するとα及びβが増加するという関係があるため、γがαとβとの間となるようにすることで、γをα及びβの双方に近づけることができる。これにより、γが大き過ぎることに起因する、傾斜面上での流水の遅速を抑制し、また、γが小さすぎることに起因する谷線上での流水の遅速を抑制することができる。すなわち、傾斜面上及び谷線上での流水を全体として、比較的円滑なものとすることができる。
【００２０】
請求項５の発明によれば、水切り面の上面視における前端縁及び後端縁の長さをＬ１、左端縁及び右端縁の長さをＬ２としたときに、これらＬ１、Ｌ２の間に、Ｌ１＞Ｌ２＞Ｌ１／２が成り立つように形成されている。このため、一般的な流し台において、シンクの左側又は右側に水切りトレイを配置し、かつ前端縁側の水切り面をシンクに向けて使用する際の使い勝手に優れる。この場合には、その構造上、α＞βとなるが、これらの差を比較的小さくできるため、これらの間に入るγも含めて、α、β、γを比較的近いものとすることができる。このため、左右の谷線を含む、水切り面全体の水の流れを円滑なものとすることができる。
【図面の簡単な説明】
【００２１】
【図１】水切りトレイ１を前側右斜め上方から見た斜視図である。
【図２】（Ａ），（Ｂ），（Ｃ）は水切りトレイ１を説明する図であり、（Ａ）は正面図、（Ｂ）は平面図、（Ｃ）は底面図である。
【図３】水切りトレイ１の右側面図である。
【図４】水切りトレイ１の背面図である。
【図５】図２（Ｂ）中のＸ−Ｘ線矢視斜視図である。
【図６】図２（Ｂ）中のＸ−Ｘ線矢視正面図である。
【図７】図２（Ｂ）中のＹ−Ｙ線矢視斜視図である。
【図８】図２（Ｂ）中のＹ−Ｙ線矢視背面図である。
【図９】水切りトレイ１の使用例を説明する斜視図である。
【発明を実施するための形態】
【００２２】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図９を参照して本発明を適用した実施形態１に係る水切りトレイ１について説明する
【００２３】
ここで、図１は、水切りトレイ１を前側右斜め上方から見た水切りトレイ１の斜視図である。また、図２（Ａ），（Ｂ），（Ｃ）は水切りトレイ１を説明する図であり、（Ａ）は正面図、（Ｂ）は平面図、（Ｃ）は底面図である。また、図３は、水切りトレイ１の右側面図である。また、図４は、水切りトレイ１の背面図である。
【００２４】
なお、以下の説明では、図１中の左上に矢印で示す上下前後左右の方向が、水切りトレイ１の前後上下左右に対応するものとして説明する。また、図１中に示す載置面Ｆは、水切りトレイ１が載置される水平な基準面となっていて、後述する高さや勾配は、この載置面Ｆを基準として設定されている。また、以下では、水切りトレイ１全体が、後述する稜線Ｍを通って載置面Ｆに直交する仮想平面に対して、面対称である場合を例に説明するが、本発明は、これに限定されるものではない。
【００２５】
図１〜図４に示すように、水切りトレイ１は、ほぼ矩形状の水切り板１０と、その周端縁に立設された周壁部Ｗと、水切り板１０の一部から前方に突出された排水部１５とを備えている。
【００２６】
水切り板１０の表面には、矩形状の周端縁Ｅを有する水切り面１０ａが形成されている。周端縁Ｅは、４つの端縁、すなわち一対の長辺に対応する前端縁ａ及び後端縁ｂと、一対の短辺に対応する左端縁ｃ及び右端縁ｄとによって構成されている。これら４つの端縁は、水切り面１０ａと周壁部Ｗの内周面との交線に位置している。
【００２７】
水切り面１０ａは、稜線Ｍ、左右の谷線Ｖによって４つの三角形状の傾斜面Ｓ１，Ｓ１，Ｓ２，Ｓ２に分割されている。これらの傾斜面Ｓ１，Ｓ１，Ｓ２，Ｓ２は、それぞれ平面状に形成されるとともに、稜線Ｍ及び左右の谷線Ｖを介して接続されている。これらの接続部分は、断面形状において「Ｖ」字形又は「逆Ｖ」字形となっているが、いずれも図５〜図８に示すように、１８０度に近い角度で屈曲している。なお、図２（Ｃ）中の谷部Ｍ´、稜部Ｖ´は、水切り板１０の表面側の谷線Ｍ、谷線Ｖに対応する部分である。
【００２８】
ここで、後端縁ｂの中央（図示例では中心）を稜線Ｍの起点Ａ、後端縁ｂの左端両端をそれぞれ谷線Ｖの起点Ｂとし、また、前端縁ａの中央（図示例では中心）を集水点Ｃ、前端縁ａの左右両端をそれぞれ端部Ｄとする。これに従うと、前端縁ａは、左の端部Ｄと集水点Ｃとを通る線分、及び集水点Ｃと右の端部Ｄとを通る線分とによって構成されている。この前端縁ａは、集水点Ｃにおいて、「Ｖ」字形に屈曲されている。また、後端縁ｂは、左の谷線Ｖの起点Ｂと稜線Ｍの起点Ａとを通る線分、及び稜線Ｍの起点Ａと右の谷線Ｖの起点Ｂとを通る線分とによって構成されている。この後端縁ｂは、起点Ａにおいて、「逆Ｖ」字形に屈曲されている。また、左端縁ｃは、左の端部Ｄと左の起点Ｂとを結ぶ線分によって構成され、右端縁ｄは、右の端部Ｄと右の起点Ｂとを結ぶ線分によって構成されている。また、稜線Ｍは、集水点Ｃと起点Ａとを結ぶ線分によって構成されている。また、左右の谷線Ｖは、それぞれ集水点Ｃと起点Ｂとを結ぶ線分によって構成されている
【００２９】
図２（Ｂ）に示すように、一対の長辺に対応する前端縁ａ及び後端縁ｂの上面視における長さをＬ１、また、一対の短辺に対応する左端縁ｃ及び右端縁ｄの上面視における長さをＬ２とすると、本実施形態の水切り面１０ａは、これらＬ１とＬ２との間に、
Ｌ１＞Ｌ２＞Ｌ１／２
が成り立つように形成されている。
これにより、水切り面１０ａは、比較的使い勝手の良い形状となっている。
【００３０】
次に、図１に示すように、載置面Ｆを基準としたときの、集水点Ｃの高さをｈ１、谷線Ｖの起点Ｂの高さをｈ２、稜線Ｍの起点Ａの高さをｈ３とする。なお、本実施形態では、端部Ｄの高さも起点Ａと同じのｈ３に設定している。
本実施形態の水切り面１０ａは、上述の高さｈ１，ｈ２，ｈ３の間に、
ｈ３＞ｈ２＞ｈ１
が成り立つように形成されている。
【００３１】
さらに、本実施形態の水切り面１０ａは、載置面Ｆを基準としたときの、後端縁ｂの勾配（傾斜角度）をα、左端縁ｃ及び右端縁ｄの勾配をβ、左右の谷線Ｖの勾配をγとしたときに、これら勾配α，β，γの間に、
α＞γ＞β
が成り立つように形成されている。
【００３２】
なお、上述のように、起点Ａと端部Ｄの高さがｈ３と等しく、かつ、Ｌ２＞Ｌ１／２の場合には、必然的にα＞βとなるが、本実施形態では、γがαとβとの間に入るようにすることで、これらα，β，γが比較的近い値となるようにしている。例えば、水切りトレイ１の全体の厚さ（厚さ寸法）を抑制すべく、ｈ３−ｈ１が所定値以下（一定）という条件を付与した場合、ｈ３＞ｈ２＞ｈ１を満たすｈ２は、ｈ３とｈ１との間の任意の値をとることが可能である。
【００３３】
この場合、ｈ２をｈ１に近づけると、γが小さくなる一方、α及びβが大きくなる。これとは逆に、ｈ２をｈ３に近づけると、γが大きくなる一方、α及びβ小さくなる。
【００３４】
このため、例えば、ｈ２が極端にｈ１に近い場合、傾斜面Ｓ１，Ｓ２における谷線Ｖに向かう傾斜が大きくなって、傾斜面Ｓ１，Ｓ２に落下した水滴を速やかに谷線Ｖに導くことができる反面、谷線Ｖに集まった水の流れが悪くなる。逆に、ｈ２が極端にｈ３に近い場合、傾斜面Ｓ１，Ｓ２における谷線Ｖに向かう傾斜が小さくなって、傾斜面Ｓ１，Ｓ２に落下した水滴を谷線Ｖに導く効率が低下する反面、谷線Ｖに集まった水の流れがよくなる。
そこで、本実施形態では、上述の谷線Ｖの起点Ｂの高さｈ２を、α＞γ＞βを満たす範囲内に設定することにより、全体的な水の流れをよくするようにした。
【００３５】
上述の周壁部Ｗは、水受け面１０ａの周端縁Ｅに立設されている。周壁部Ｗは、それぞれ前端縁ａ，後端縁ｂ、左端縁ｃ、及び右端縁ｄに対応する前壁部１１、後壁部１２、左壁部１３，及び右壁部１４を有している。また、これらの壁部が相互に交差する箇所、つまり谷線Ｖの起点Ｂに対応する２箇所、及び端部Ｄに対応する２か所の合計４箇所には、下方に向けて脚部１６が設けられている。
【００３６】
上述の４つの壁部のうちの、前壁部１１の左右方向の中央は、集水点Ｃに対応する部分が切り欠かれていて、ここに後述する排水部１５が前方に向けて突設されている。また、図２（Ａ）に示すように、前壁部１１は、排水部１５によって左右に分割されている。さらに、分割されたそれぞれが、前端縁ａ沿って、端部Ｄ側よりも中央側が低くなるように傾斜している。このデザインは、使用者に、水切り面１０ａに落ちた水が前壁部１１に沿って左右方向の中央に向かって集水されるといった強いイメージを彷彿させる。
【００３７】
排水部１５は、その表面に排水面１５ａが形成されている。排水面１５ａは、左右方向の両端に対して中央が低く、かつ基端側（後端側）に対して先端側（前端側）が低くなるように傾斜されている。後述する水切りかご２０（図９参照）にセットされた洗浄後の食器類から水切り面１０ａに落下した水は、傾斜面Ｓ１，Ｓ２の傾斜に沿って流れて谷線Ｖに集められ、さらに、谷線Ｖの傾斜に沿って、集水点Ｃに集められた後、排水面１５ａから外部に排出されるようになっている。
【００３８】
ここで、図５は、図２（Ｂ）中のＸ−Ｘ線矢視斜視図である。また、図６は、図２（Ｂ）中のＸ−Ｘ線矢視正面図である。また、図７は、図２（Ｂ）中のＹ−Ｙ線矢視斜視図である。また、図８は、図２（Ｂ）中のＹ−Ｙ線矢視背面図である。
【００３９】
これらの図に示すように、本実施形態の水切り面１０ａは、集水点Ｃを終点とする左右の谷線Ｖとこれらの間に挟まれた稜線Ｍとを有している。このため、水切り面１０ａの図示の断面形状は、図５〜図８に示すように、「Ｗ」字形となる。この断面形状が「Ｗ」字形であるという点は、上述の位置の断面に限定されず、前後方向の位置が異なる任意の位置の断面においても同様である。このため、前後方向のいずれの位置においても、水切り面１０ａの水は、谷線Ｖに向かって流れやすくなっている。
【００４０】
なお、上述の従来技術の発明では、同様な位置の断面形状は、左右方向の中間部が水平な直線で、その両端に外側が高くなるように傾斜した線分を合成したような形状、すなわち、等脚台形の上下を逆さにしたような形状となる。このため、本実施形態の水切り面１０ａとは異なり、水切り面上の水滴を効率よく、谷線に導くことができない。
【００４１】
図９は、上述の水切りトレイ１の使用例を説明する斜視図である。同図に示す例では、水切りトレイ１は、縦横のワイヤを組み合わせて構成された水切りかご２０の下方に、引き出し可能に配設されている。なお、水切りかご２０の後面には、ナイフ、フォーク、スプーン、箸等の小物の食器類を立てて収納する水切りホルダ３０が配設されている。
【００４２】
水切りトレイ１は、水切りかご２０の底面のほぼ全体をカバーする大きさに形成されている。このため、洗浄後の皿、茶碗等の食器類が水切りかご２０の内側にセットされると、これらの食器類から落下した水は、水切りトレイ１の水切り面１０ａで受け止められ、傾斜面Ｓ１，Ｓ２、及び谷線Ｖに沿って流れて、集水点Ｃに集められ、さらに、排水面１５ａを介して外部に排出される。
【００４３】
この際、本実施形態の水切りトレイ１は、上述のように構成されているため、水切り面１０ａ状において、速やかな水の流れ、特に、谷線Ｖに向かう良好な水の流れを実現することができる。
以下、上述の水切りトレイ１の作用、効果を整理する。
【００４４】
・水切りトレイ１は、水切り面１０ａが単純な三角形状の傾斜面Ｓ１，Ｓ２を組み合わせて形成された、凹凸の少ないものなので、例えば、水切り面１０に残った水を、布等により、簡単に、しかもきれいに払拭することができる。
【００４５】
・水切りトレイ１は、左の谷線Ｖと右の谷線Ｖとの間に稜線Ｍを設けることにより、傾斜面Ｓ１の勾配のうち、谷線Ｖに向かう勾配を大きくすることができるので、傾斜面Ｓ１上の水滴を速やかに左右の谷線Ｖに集めることができる。
【００４６】
・水切りトレイ１は、左の谷線Ｖと左端縁ｃと前端縁ａとによって構成される傾斜面Ｓ２、及び右の谷線Ｖと右端縁ｄと前端縁ａとによって構成される傾斜面Ｓ２について、その端部Ｄの高さ、稜線Ｍの起点Ａと同じの高さｈ３（ｈ３＞ｈ２＞ｈ１）に設定されている。つまり、水切り面１０ａにおける最も高い位置に設定されている。このため、傾斜面Ｓ２における左右の谷線Ｖに向かう勾配を大きくすることができるので、傾斜面Ｓ２上の水滴を速やかに左右の谷線Ｖに集めることができる。
【００４７】
・水切りトレイ１において、勾配α、β、γの間には、γが増加するとα及びβが減少し、逆にγが減少するとα及びβが増加するという関係があるため、γがαとβとの間となるようにすることで、γをα及びβの双方に近づけることができる。これにより、γが大き過ぎることに起因する、傾斜面Ｓ１，Ｓ２上での流水の遅速を抑制し、また、γが小さすぎることに起因する、谷線Ｖ上での流水の遅速を抑制することができる。すなわち、傾斜面Ｓ１，Ｓ２上及び谷線Ｖ上での流水を全体として、比較的円滑なものとすることができる。
【００４８】
・水切りトレイ１は、水切り面１０ａの上面視における前端縁ａ及び後端縁ｂの長さをＬ１、左端縁ｃ及び右端縁ｄの長さをＬ２としたときに、これらＬ１、Ｌ２の間に、Ｌ１＞Ｌ２＞Ｌ１／２が成り立つように形成されている。このため、一般的な流し台において、シンクの左側又は右側に水切りトレイ１を配置し、かつ前端縁ａ側の排水面１５ａをシンクに向けて使用する際の使い勝手に優れる。この場合には、その構造上、α＞βとなるが、これらの差を比較的小さくできるため、これらの間に入るγも含めて、α、β、γを比較的近いものとすることができる。このため、左右の谷線Ｖを含む、水切り面１０ａ全体の水の流れを円滑なものとすることができる。
【００４９】
以上の実施形態では、水切り面１０ａの形状が左右方向に長い矩形状である場合を例に説明したが、本発明はこれに限定されるものではない。例えば、前端縁ａ及び後端縁ｂの長さＬ１と、左端縁ｃ及び右端縁ｄの長さＬ２とが等しい正方形状（Ｌ１＝Ｌ２）であってもよい。さらに、上述の実施形態とは逆の、Ｌ２＞Ｌ１の矩形状であってもよい。いずれの場合も、上述の実施形態とほぼ同様の作用、効果をあげることができる。ただし、一般的な使い勝手については、上述の水切りトレイ１よりも劣るおそれがある。
【符号の説明】
【００５０】
１      水切りトレイ
１０    水切り板
１０ａ  水切り面
１５    排水部
１５ａ  排水面
Ａ      稜線の起点
ａ      前端縁
Ｂ      谷線の起点
ｂ      後端縁
Ｃ      集水点
ｃ      左端縁
Ｄ      前端縁の左右の端部
ｄ      右端縁
Ｅ      周端縁
ｈ１    集水点の高さ
ｈ２    谷線の起点の高さ
ｈ３    稜線の起点の高さ、前端縁の端部の高さ
Ｌ１    前端縁及び後端縁の長さ
Ｌ２    左端縁及び右端縁の長さ
Ｍ      稜線
Ｓ１，Ｓ２  傾斜面
Ｖ      谷線
Ｗ      周壁部
α      後端縁の勾配
β      左端縁及び右端縁の勾配
γ      左右の谷線の勾配
【図１】
0005941964.tif 000002
【図２】
0005941964.tif 000003
【図３】
0005941964.tif 000004
【図４】
0005941964.tif 000005
【図５】
0005941964.tif 000006
【図６】
0005941964.tif 000007
【図７】
0005941964.tif 000008
【図８】
0005941964.tif 000009
【図９】
0005941964.tif 000010